(57)【要約】【課題】  処置具の挿入部が圧迫された場合でも、挿入部の負荷を低減させることを目的とする。【解決手段】  処置具１の挿入部３は、送液に用いられるルーメンが形成されたチューブ８が並列に２つ設けられている。さらに、内視鏡側に設けられた一対のローラから圧迫力を受けるスタイレット９が各チューブ８に平行に設けられている。スタイレット９の外径は、チューブ８の外径よりも大きくなっており、一対のローラの外周面は、スタイレット９には当接するが、チューブ８には当接しないようになっている。【選択図】    図１
2005304525.tif 000002
【特許請求の範囲】
【請求項１】
駆動力伝達手段による圧迫を受けつつ内視鏡のチャンネルに挿通される可撓性の挿入部を備え、目的部位に対して処置を行う内視鏡処置具において、
前記挿入部は、その長さ方向に沿って設けられたルーメンと、前記駆動力伝達手段による圧迫を受けつつ前記ルーメンの断面形状を維持して流体の流路面積を確保する被圧迫部とを有することを特徴とする内視鏡用処置具。
【請求項２】
前記被圧迫部は、前記挿入部の他の部分に比べて圧迫力に対する強度が高いことを特徴とする請求項１に記載の内視鏡用処置具。
【請求項３】
前記被圧迫部の外径は、前記ルーメンの径よりも大きいことを特徴とする請求項１又は請求項２に記載の内視鏡用処置具。
【請求項４】
前記挿入部は、その外径の軸線に対して偏心した位置に前記ルーメンを有することを特徴とする請求項１又は請求項２に記載の内視鏡用処置具。
【請求項５】
前記挿入部の軸線に沿って前記被圧迫部と前記ルーメンとを並列に配置したことを特徴とする請求項１から請求項４のいずれか一項に記載の内視鏡用処置具。
【請求項６】
前記被圧迫部は、前記ルーメンの外周に、前記ルーメンの軸線に沿って設けた螺旋状のリブであることを特徴とする請求項３に記載の内視鏡用処置具。
【請求項７】
前記被圧迫部は、前記ルーメンの外周に、前記ルーメンの軸線に沿って所定間隔を置いて設けたリング状のリブであることを特徴とする請求項３に記載の内視鏡用処置具。
【請求項８】
前記被圧迫部には、前記駆動力伝達手段の一部を内挿させるスリットが、前記ルーメンに平行に設けられていることを特徴とする請求項１から請求項４のいずれか一項に記載の内視鏡用処置具。
【請求項９】
駆動力伝達手段が備える一対の駆動力伝達部材によって内視鏡のチャンネルに挿通される可撓性の挿入部を備え、目的部位に対して処置を行う内視鏡処置具において、
前記挿入部は、前記駆動力伝達部材により挟持される部分と、前記駆動力伝達部材に挟持されない部分とを有し、この挟持されない部分に、前記挿入部の長さ方向に沿ってルーメンが設けられていることを特徴とする内視鏡用処置具。
【発明の詳細な説明】
【技術分野】
【０００１】
本発明は、内視鏡のチャンネルに挿通させて用いられる内視鏡用処置具に関する。
【背景技術】
【０００２】
体腔内に挿入して、消化管内の検査などを行う手段としては、内視鏡が知られている。内視鏡は、可撓性の挿入部を有し、その先端には、ＣＣＤ（電荷結合素子）や、照明部が設けられており、体腔内の観察ができるようになっている。また、内視鏡には、先端側から基端（体外）側にかけて貫通する処置具挿通チャンネルが設けられており、この処置具挿通チャンネルに、鉗子などの内視鏡用の処置具（内視鏡用処置具）を挿通させると、様々な処置が行える。
【０００３】
ここで、処置具は、処置具挿通チャンネルに挿通される可撓性の挿入部を有し、挿入部の基端には、内視鏡操作者などが体外側から操作をする操作部が設けられている。
また、内視鏡には、ローラの回転により処置具を処置具挿通チャンネルに挿通させたり、処置具挿通チャンネルから抜去させたりするものがある。具体的には、内視鏡の操作部本体内に一対のドラム（ローラ）を互いの外周面が密着するように配置し、モータによって一対のドラムを回転させる（例えば、特許文献１、特許文献２、特許文献３参照）。
【特許文献１】特開昭５７‐１１７８２３号公報
【特許文献２】特開平９‐４９２号公報
【特許文献３】特開２０００‐２０７号公報
【発明の開示】
【発明が解決しようとする課題】
【０００４】
しかしながら、このような内視鏡において、処置具の挿入部は一対のローラに挟まれるようにして送り出されるので、挿入部には、挿入部を圧迫するような力が作用し、処置具に負荷がかかることがあった。特に、処置具が造影チューブなどの場合には、挿入部が樹脂製チューブで構成されているので、一対のローラによってチューブが潰れることがあった。
この発明は、このような事情に鑑みてなされたもので、その目的とするところは、処置具の挿入部が圧迫された場合でも、挿入部にかかる負荷を低減させることである。
【課題を解決するための手段】
【０００５】
上記の課題を解決する本発明の請求項１に係る発明は、駆動力伝達手段による圧迫を受けつつ内視鏡のチャンネルに挿通される可撓性の挿入部を備え、目的部位に対して処置を行う内視鏡処置具において、前記挿入部は、その長さ方向に沿って設けられたルーメンと、前記駆動力伝達手段による圧迫を受けつつ前記ルーメンの断面形状を維持して流体の流路面積を確保する被圧迫部とを有することを特徴とする内視鏡用処置具とした。
この内視鏡用処置具では、駆動力伝達手段によって挿入部がチャンネル内に挿抜される際に、駆動力伝達手段による圧迫力を被圧迫部で受ける。被圧迫部は、ルーメンの断面形状を維持して流体の流路を確保できるように、その形状及び配置がなされているので、挿入部の挿抜時及び処置時においても必要な流路面積が確保される。
【０００６】
請求項２に係る発明は、請求項１に記載の内視鏡用処置具において、前記被圧迫部は、前記挿入部の他の部分に比べて圧迫力に対する強度が高いことを特徴とする。
この内視鏡用処置具では、被圧迫部の強度が高いため、駆動力伝達手段から圧迫力を受けても、ルーメンは変形しないので、必要な流路面積が確保される。
【０００７】
請求項３に係る発明は、請求項１又は請求項２に記載の内視鏡用処置具において、前記被圧迫部の外径は、前記ルーメンの径よりも大きいことを特徴とする。
この内視鏡用処置具では、外径が大きい被圧迫部で圧迫力を受けつつ、挿入部がチャンネルに挿抜されるようにすることができる。このとき、ルーメンの径が被圧迫部よりも小さいので、駆動力伝達手段とルーメンの周囲とを非接触状態にすることができる。
【０００８】
請求項４に係る発明は、請求項１又は請求項２に記載の内視鏡用処置具において、前記挿入部は、その外径の軸線に対して偏心した位置に前記ルーメンを有することを特徴とする。
この内視鏡用処置具では、ルーメンが偏心した位置にあるので、駆動力伝達手段の圧迫力を、主にルーメンからずれた位置で受けることができる。この場合には、圧迫力が主に作用する部分を被圧迫部にすれば良い。
【０００９】
請求項５に係る発明は、請求項１から請求項４のいずれか一項に記載の内視鏡用処置具において、前記挿入部の軸線に沿って前記被圧迫部と前記ルーメンとを並列に配置したことを特徴とする。
この内視鏡用処置具では、被圧迫部とルーメンとが並列に配置されているので、駆動力伝達手段の圧迫力を主に被圧迫部で受けつつ、挿入部が挿抜される。
【００１０】
請求項６に係る発明は、請求項３に記載の内視鏡用処置具において、前記被圧迫部は、前記ルーメンの外周に、前記ルーメンの軸線に沿って設けた螺旋状のリブであることを特徴とする。
この内視鏡用処置具では、ルーメンが形成された管状部材の外周にリブが螺旋状に設けられているので、このリブで駆動力伝達手段の圧迫力を受けつつ、挿入部が挿抜される。被圧迫部のピッチを小さくすると、ルーメンが形成された管状部材に駆動力伝達手段が直接に接触することがなくなり、ルーメンの潰れを防止できる。
【００１１】
請求項７に係る発明は、請求項３に記載の内視鏡用処置具において、前記被圧迫部は、前記ルーメンの外周に、前記ルーメンの軸線に沿って所定間隔を置いて設けたリング状のリブであることを特徴とする。
この内視鏡用処置具では、ルーメンが形成された管状部材の外周にリブがリング状に設けられているので、このリブで駆動力伝達手段の圧迫力を受けつつ、挿入部が挿抜される。被圧迫部のピッチを小さくすると、ルーメンが形成された管状部材に駆動力伝達手段が直接に接触することがなくなり、ルーメンの潰れを防止できる。
【００１２】
請求項８に係る発明は、請求項１から請求項４のいずれか一項に記載の内視鏡用処置具において、前記被圧迫部には、前記駆動力伝達手段の一部を内挿させるスリットが、前記ルーメンに平行に設けられていることを特徴とする。
この内視鏡用処置具では、ルーメンとは異なる場所に形成されたスリットを用いて挿入部が挿抜される。このため、ルーメンが駆動力伝達手段からの圧迫力によって潰れることはない。
【００１３】
請求項９に係る発明は、駆動力伝達手段が備える一対の駆動力伝達部材によって内視鏡のチャンネルに挿通される可撓性の挿入部を備え、目的部位に対して処置を行う内視鏡処置具において、前記挿入部は、前記駆動力伝達部材により挟持される部分と、前記駆動力伝達部材に挟持されない部分とを有し、この挟持されない部分に、前記挿入部の長さ方向に沿ってルーメンが設けられていることを特徴とする内視鏡用処置具。
この内視鏡用処置具では、駆動力伝達部材に挟持され、圧迫力を受ける部分に被圧迫部が設けられているので、ルーメンの変形が防止される。
【発明の効果】
【００１４】
本発明によれば、駆動力伝達手段による圧迫力が作用されることで、チャンネル内に挿抜される挿入部に、圧迫力を主に受ける被圧迫部を設け、この被圧迫部によってルーメンの流路面積が確保されるようにしたので、圧迫状態下であっても流体をルーメンに通流させることができる。また、ルーメンの潰れが防止され、挿入部にかかる負荷が低減するので、内視鏡用処置具の耐久性が向上する。
【発明を実施するための最良の形態】
【００１５】
発明を実施するための最良の形態について図面を参照しながら詳細に説明する。
図１に示すように、第１実施形態における内視鏡用処置具（以下、処置具とする）は、造影チューブであって、操作部２と、操作部２の先端に設けられた可撓性の挿入部３とを備え、挿入部３の先端は先端処置部４になっている。
先端処置部４は、先端に開口５を有する可撓性のシースで、開口５の近傍には、指標６が設けられている。先端処置部４の基端には、壁部７を有し、ここに２本のチューブ８と、スタイレット９とが接続されている。スタイレット９は、可撓性を有する中実の部材からなり、処置具１の中心線上を通り、その基端は保護部材１０により覆われると共に、操作部２に固定されている。図２に示すように、各チューブ８は、内部に送液用のルーメン１１が形成された管状部材であり、例えば、可撓性の樹脂から製造されている。各チューブ８は、スタイレット９を挟んで平行に配置され、チューブ８の先端部は、図１に示すように、壁部７に固定されて、ルーメン１１が先端処置部４内の中空部分（ルーメン）１２に連通されている。さらに、各チューブ８の基端部は、保護部材１０に覆われると共に、操作部２に固定されている。
また、操作部２には、送液口金１３が設けられ、シリンジなどが取り付けられるようになっている。操作部２の内部には、送液口金１３と各チューブ８とを連通させる流路（不図示）が形成されている。
【００１６】
ここで、図２に示すように、各チューブ８の内径Ｄａ及び外径Ｄｂは、等しい。各チューブ８の内径Ｄｂに基づく断面積の和は、造影剤が通流可能する流路面積となる。また、各チューブ８の外径Ｄｂは、スタイレット９の外径Ｄｃよりも小さい。スタイレット９から、２本のチューブ８までの距離は略等しく、スタイレット９及び２本のチューブ８は、平行に配置されている。
また、スタイレット９は、チューブ８よりも強度が高くなっている。これはスタイレット９が中実の部材であることと、その外径がチューブ８の外径よりも大きいためである。さらに、スタイレット９をチューブ８よりも強度の高い材料から製造しても良い。
【００１７】
図３に示すように、処置具１の挿入部３は、内視鏡２０の処置具挿通チャンネル２１に挿通される。
内視鏡２０は、内視鏡操作者が操作する操作部２２を有している。操作部２２には、複数のスイッチ２３と、複数の操作ノブ２４とが設けられている。また、操作部２２の側部には、不図示の制御装置などに接続されるユニバーサルケーブル２５が取り付けられている。操作部２２の先端には、体腔に挿入される可撓性の挿入部２６が設けられている。挿入部２６の先端には、先端カバー２７が接続されている。先端カバー２７の側方には、処置具１を突出させる開口部２８が設けられている。
このような挿入部２６内及び操作部２２内には、処置具挿通チャンネル２１が貫通している。処置具挿通チャンネル２１において、挿入部２６側の開口は、先端カバー２７の開口部２８に連通している。また、操作部２２側の開口は、操作部２２の下側部に設けられた分岐部２９の上面に設けられており、この開口が処置具１を挿入する挿入口３０になっている。
【００１８】
分岐部２９内には、駆動力伝達手段３１を構成する一対のローラ３２ａ，３２ｂ（駆動力伝達部材）が配設されている。各ローラ３２ａ，３２ｂは、円柱形状を有し、処置具１が挿入されていないときには、各々の外周面が当接するように配置されている。このローラ３２ａ，３２ｂは、外径が一定の円柱状のローラが用いられている。このようなローラ３２ａ，３２ｂは、その回転によって処置具１の挿入部３を処置具挿通チャンネル２１に挿通（前進）させたり、抜去（後退）させたりするものである。
この駆動力伝達手段３１は、ローラ３２ａ，３２ｂと挿入部３との間の滑りを防止するようになっている。挿入部３との滑りを防止する手段としては、例えば、挿入部３に対して処置具１の軸線方向と略直交する方向に圧迫力を加える手段があげられる。このような駆動力伝達手段３１の例としては、図４があげられる。
【００１９】
図４に示すように、各ローラ３２ａ，３２ｂの各回転軸３３ａ，３３ｂは、平行に配置されると共に、その各々の一端部がプレート３４を回転自在に貫通している。プレート３４には、回転軸３３ａを貫通させる孔３５と、回転軸３３ｂを貫通させる長孔３６とが設けられている。長孔３６は、挿入部３の挿抜方向に直交し、かつ一対のローラ３２ａ，３２ｂが挿入部３に圧迫力を作用させる方向に延びている。さらに、プレート３４を貫通した回転軸３３ａ及び回転軸３３ｂの先端部には、コイルバネなどの弾性部材３７が引っ掛けられ、この弾性部材３７によって各回転軸３３ａ，３３ｂが互いに近接する方向に付勢されている。また、回転軸３３ａには、モータ３８が接続されており、ローラ３２ａを回転駆動させるようになっている。モータ３８の制御は、操作部２２に設けられたスイッチ２３により行うことができる。モータ３８を正転させると一対のローラ３２ａ，３２ｂが挿入部３を挿通させる方向に回転する。モータ３８を逆転させると、一対のローラ３２ａ，３２ｂが挿入部３を抜去させる方向に回転する。
【００２０】
次に、この処置具１の動作について説明する。
図１に示す内視鏡２０の挿入部２６を患者の体腔内に挿入したら、処置具挿通チャンネル２１に処置具１を挿通させる。処置具１の挿入部３が処置具挿通チャンネル２１に挿通された状態では、図４に示すように駆動力伝達手段３１の各ローラ３２ａ，３２ｂは、スタイレット９を挟み込み、チューブ８には接しない。これは、スタイレット９の外径Ｄｃが、各チューブ８の外径Ｄｂよりも大きく（図３参照）、ローラ３２ａ，３２ｂの外径が一定であるからである。
この状態で、スイッチ２３を操作すると、図５に示すモータ３８が正転し、ローラ３２ａが回転し、ローラ３２ｂが従動し、スタイレット９に圧迫力を作用させつつ、スタイレット９を先端に向かって送り出す。スタイレット９が送り出されると、その先端に固定されている先端処置部４が前進し、これに従って各チューブ８も前進する。先端処置部４の先端が内視鏡２０の挿入部２６の先端カバー２７の開口部２８から突出したらローラ３２ａ，３２ｂを停止させる。
【００２１】
挿入部３を処置具挿通チャンネル２１に挿通した後も、一対のローラ３２ａ，３２ｂはスタイレット９に当接した状態を保つが、一対のローラ３２ａ，３２ｂは各チューブ８には接触していないので各ローラ３２ａ，３２ｂからの力が作用していない。このため、チューブ８のルーメン１１の断面形状が維持され、液体の流路面積が確保される。したがって、図１に示す操作部２の送液口金１３にシリンジを接続し、造影剤を送り込むと、造影剤がチューブ８内のルーメン１１、及び先端処置部４内の中空部分１２を通って先端の開口５から体腔内の目的部位に注入される。
造影剤の注入が終了して処置具１を抜去する際には、モータ３８を逆転させる。一対のローラ３２ａ，３２ｂが回転し、スタイレット９に圧迫力を作用させつつ、スタイレット９を挿入口３０に向かって引き戻す。先端処置部４の近傍まで抜去したら、モータ３８を停止させる。
【００２２】
この実施の形態では、処置具１の挿入部３に、一対のローラ３２ａ，３２ｂに挟持される中実のスタイレット９をその長さ方向に沿って設け、このスタイレット９に平行に、一対のローラ３２ａ，３２ｂに挟持されないチューブ８を配置し、チューブ８内に造影剤を通流させるルーメン１１を設け、各ローラ３２ａ，３２ｂの圧迫力がチューブ８に作用しないようにしたので、必要な流路面積を確実に確保することができる。また、造影剤を通流させるチューブ８に、各ローラ３２ａ，３２ｂの圧迫力が作用しないので、圧迫力に起因する負荷が低減され、耐久性が向上する。ここにおいて、スタイレット９は、中実の部材であるので、各ローラ３２ａ，３２ｂの力を伝達させ易い。また、チューブ８がスタイレット９よりも小径であるので、各ローラ３２ａ，３２ｂに挟持されない。
さらに、対向配置される一対のローラ３２ａ，３２ｂによる圧迫力が作用する方向に略直交する方向に、各チューブ８とスタイレット９とを配列したので、一対のローラ３２ａ，３２ｂの外周面の形状を特殊な形状にしなくても前述の作用効果が得られるので、内視鏡２０の製造コストが安くなる。
【００２３】
なお、一対のローラ３２ａ，３２ｂは、内視鏡２０の操作部２２に対して着脱自在に構成されていても良い。
また、一対のローラ３２ａ，３２ｂによる圧迫力が作用する方向に略直交する方向に、各チューブ８及びスタイレット９を配列するにあたり、２本のチューブ８を隣り合うように配置し、これらチューブ８の中心を結ぶ線分の延長線上に、スタイレット９を配置しても良い。この場合にも、前述と同様の作用効果が得られる。
【００２４】
次に、本発明の第２実施形態について図面を参照して説明する。なお、第１実施形態と同じ構成要素には同一の符号を付してある。また、第１実施形態と重複する説明は省略する。
この実施の形態では、可撓性を有する被圧迫部とルーメンとが一体的に形成されていることを特徴とする。
【００２５】
図６に示すように、処置具４０の挿入部４１は、スタイレット９と各チューブ８とを一体的に連結させる連結部４２を備えている。その他の構成は第１実施形態と同様である。
この処置具４０では、スタイレット９の移動を連結部４２を介して各チューブ８に直接に伝えることができるので、処置具４０の挿抜をさらに効率的に行うことができるようになる。ここにおいて、連結部４２の幅は、スタイレット９の外径Ｄｃ以下であることが好ましい。
【００２６】
また、可撓性を有する被圧迫部とルーメンとが一体的に形成されている他の例としては、以下のものがあげられる。
すなわち、図７に示す処置具４５の挿入部４６は、断面が長円状を有し、その長軸上に２つのルーメン４７が平行に設けられている。この場合には、２つのルーメン４７の間の部分が被圧迫部４８になる。ここで、一対のローラ３２ａ，３２ｂの幅を、２つのルーメン４７の外周部間の距離Ｌ１以下に設定すると、ルーメン４７が一対のローラ３２ａ，３２ｂによって圧迫されることがなくなり、ルーメン４７の断面形状が維持される。したがって、ルーメン４７の外周部への負荷が防止され、流路面積が確保される。
なお、被圧迫部４８を、挿入部４６の他の部分に比べて強度が高く、変形し難くすると、ルーメン４７の変形をさらに確実に防止できる。具体的には、強度の高い材料で製造することや、ローラ３２ａ，３２ｂの幅方向の厚さを大きくすることがあげられる。また、挿入部４６の断面形状は、円形又は小判形でも良い。
【００２７】
また、図８に示す処置具５０の挿入部５１のように、断面が長円状で、可撓性を有するチューブ５２内に被圧迫部５３を設けても良い。被圧迫部５３は、チューブ５２の中心を通り、チューブ５２の内径に略等しい長さを有し、被圧迫部５３によってチューブ５２内には、２つのルーメン５４が区画されている。また、被圧迫部５３は、チューブ５２よりも変形し難くなっている。具体的には、チューブ５２よりも強度の高い材料で製造するか、一対のローラ３２ａ，３２ｂの幅方向に平行な方向の長さをチューブ５２の肉厚よりも大きくする。
【００２８】
図７及び図８に示すような挿入部４６，５１では、一対のローラ３２ａ，３２ｂの押圧力を受けつつ、ルーメン４７，５４の断面形状を維持させ、流路面積を確保することができる。さらに、ルーメン４７，５４が一対のローラ３２ａ，３２ｂで潰されないので、耐久性が向上する。なお、図７に示すような挿入部４６は、製造が容易である。また、図８に示すような挿入部５１は、ルーメン５４の流路面積を大きくとることができる。
【００２９】
なお、図９に示す処置具１００の挿入部１０１のように、断面が略円形の可撓性のチューブ１０２内に被圧迫部１０３を設けても良い。被圧迫部１０３は、断面視でチューブ１０２の中心から径方向に延びる３つの隔壁部１０４を有し、その各々の端部がチューブ１０２の内周面に約１２０°位相がずれた位置に一体的に固定されている。このような被圧迫部１０３とチューブ１０２とで区画される空間が送液用のルーメン１０５になる。
また、図１０に示す処置具１０６の挿入部１０７のように、チューブ１０２内に被圧迫部１０９を設けても良い。被圧迫部１０９は、チューブ１０２内に、チューブ１０２と同心上に配置される内環１１０を有し、内環１１０の外周で、かつ周方向に３等分される位置からは３つの隔壁部１１１が径方向に延びている。隔壁部１１１の先端は、チューブ１０２の内周で、かつ周方向に３等分される位置に一体的に固定されている。このような被圧迫部１０９とチューブ１０２とで区画される空間が送液用のルーメン１１２になる。
【００３０】
これら挿入部１０１，１０７は、チューブ１０２内に設けられた被圧迫部１０３，１０９が径方向に伸びる複数の隔壁部１０４，１１１を有し、これら隔壁部１０４，１１１が周方向に等間隔に配設されているので、一対のローラ３２ａ，３２ｂによる圧迫力に対して強くなり、任意の方向からローラ３２ａ，３２ｂの圧迫力を受けても、挿入部１０１，１０７が変形し難くなる。このため、ルーメン１０５，１１２の流路面積を確保することができる。また、一対のローラ３２ａ，３２ｂが当接する位置に依らずに、挿入部１０１，１０７の変形に起因する負荷を低減することができる。
【００３１】
次に、本発明の第３実施形態について図面を参照して説明する。なお、前記各実施形態と同じ構成要素には同一の符号を付してある。また、前記各実施形態と重複する説明は省略する。
図１１に示すように、処置具６０の挿入部６１は、可撓性を有する被圧迫部６２を備え、被圧迫部６２の中心から偏心した位置に送液用のルーメン６３が形成されている。このため、一対のローラ３２ａ，３２ｂの幅方向の中心を結ぶ直線Ｌ２は、挿入部６１の中心Ｃ１を通るが、ルーメン６３の中心Ｃ２は、この直線Ｌ２上にはなく、直線Ｌ２に直交する方向に所定距離だけずれた位置に設けられている。
【００３２】
この挿入部６１は、ルーメン６３がオフセットされた位置に設けられているため、一対のローラ３２ａ，３２ｂによる圧迫力は、主にルーメン６３が形成されていない肉厚部（被圧迫部６２）に作用する。このため、ルーメン６３の流路面積は保持される。
この実施の形態によれば、挿入部６１の可撓性を確保しつつ、ルーメン６３の流路面積を維持することができる。また、肉厚部分を有する被圧迫部６２を備え、ここに一対のローラ３２ａ，３２ｂの圧迫力が主に作用するようにしたので、挿入部６１の変形量を少なくでき、耐久性が向上する。
【００３３】
なお、図１１においては、ルーメン６３の一部が、直線Ｌ２上にあるが、ルーメン６３が直線Ｌ２から完全に離れた位置に設けられても良い。この場合には、一対のローラ３２ａ，３２ｂの圧迫力に起因するルーメン６３の変形をさらに確実に防止できる。また、図１２に示す処置具６５の挿入部６６のように、断面視で被圧迫部６７を４分割した場合の扇形の１つに相当する領域内にルーメン６８を設けても良い。このような処置具６５では、前記と同様の効果を得ることができる。
【００３４】
次に、本発明の第４実施形態について図面を参照して説明する。なお、前記各実施形態と同じ構成要素には同一の符号を付してある。また、前記各実施形態と重複する説明は省略する。
図１３に示すように、処置具７０の挿入部７１は、先端処置部４に連なり、先端処置部４と略同径の挿入部本体７２と、挿入部本体７２の外周を覆うように、挿入部本体７２の先端から基端にかけて螺旋状に設けられたリブである被圧迫部７３とを備えている。図１４に示すように、挿入部７１内には、長さ方向に送液用のルーメン７４が形成されている。なお、挿入部本体７２及び被圧迫部７３も可撓性を有している。
【００３５】
この処置具７０においては、一対のローラ３２ａ，３２ｂが被圧迫部７３の外周面に当接する。そして、被圧迫部７３に圧迫力を作用させることで挿入部７１を駆動させる。被圧迫部７３の螺旋のピッチＰ１は、被圧迫部７３の少なくとも一部が各ローラ３２ａ，３２ｂに、常に接触するような大きさである。このため、被圧迫部７３よりも径が小さい挿入部本体７２に各ローラ３２ａ，３２ｂが圧接することはない。
【００３６】
この実施形態によれば、一対のローラ３２ａ，３２ｂによる圧迫力は、主に螺旋状の被圧迫部７３に作用するので、ルーメン７４の流路面積が確保される。また、ルーメン７４が大きく変形させられることがないので、挿入部７１の負荷が減り、耐久性が向上する。
また、挿入部７１は、挿抜方向に沿って凹凸が周期的に配置される構造になるので、各ローラ３２ａ，３２ｂとの間での滑りが防止され、挿入部７１を確実に挿抜できるようになる。
【００３７】
なお、図１５に示す挿入部７６のように、挿入部本体７２の先端から基端までの外周に、リング状のリブからなる被圧迫部７７を等間隔に配列させても良い。被圧迫部７７の外径は、図１１の被圧迫部７３と同じである。被圧迫部７７は、いずれか一つのリブの外周面に、常にローラ３２ａ，３２ｂが接するようなピッチＰ２を有している。このため、被圧迫部７７よりも小径の挿入部本体７２には、いずれのローラ３２ａ，３２ｂも接しない。このような挿入部７６では前記と同様の効果が得られる。
【００３８】
次に、本発明の第５実施形態について図面を参照して説明する。なお、前記各実施形態と同じ構成要素には同一の符号を付してある。また、前記各実施形態と重複する説明は省略する。
図１６に示すように、処置具８０の挿入部８１は、外径が略円形になっており、その内部にルーメン８２が同心上に形成されている。
一方、内視鏡２０（図１参照）の駆動力伝達手段８３は、一対のローラ８４ａ，８４ｂを備え、各ローラ８４ａ，８４は、その幅方向の略中央の外径が最も縮径し、幅方向の端部が最も大径となる略Ｖ溝８４が設けられている。
これらローラ８４ａ，８４ｂは、挿入部８１との間で４つの接点Ｓ１，Ｓ２，Ｓ３，Ｓ４を有し、対向する接点Ｓ１及び接点Ｓ３を結ぶ直線Ｌ３上と、対向する接点Ｓ２及び接点Ｓ４を結ぶ直線Ｌ４上とのそれぞれからずれた位置に、送液用のルーメン８２が形成されている。そして、これら直線Ｌ３，Ｌ４上に位置する部分が被圧迫部８５となる。
【００３９】
この処置具８０では、一対のローラ８４ａ，８４ｂによる圧迫を受ける部分にルーメン８２がないので、ルーメン８２の流路面積は確保される。また、挿入部８１の変形量を少なくできるので、耐久性を向上させることができる。
【００４０】
次に、本発明の第６実施形態について図面を参照して説明する。なお、前記各実施形態と同じ構成要素には同一の符号を付してある。また、前記各実施形態と重複する説明は省略する。
図１７に示すように、処置具９０の挿入部９１は、被圧迫部９３を有している。被圧迫部９３は、その断面円形の一部が切り取られてなるスリット９２が形成されている。スリット９２は、図１７において下側に位置する開口部９２ａからの被圧迫部９３の外周に沿って広がっている。スリット９２の深さは、被圧迫部９３の径の半分以下であり、スリット９２が形成されていない領域に、送液用のルーメン９４が設けられている。ルーメン９４及びスリット９２は、挿入部９１の長さ方向に沿って平行に設けられている。
【００４１】
スリット９２には、駆動力伝達手段９９を構成する略Ｔ字状のスライドガイド９５が挿入されている。スライドガイド９５は、内視鏡２０の処置具挿通チャンネル２１内に固定されている。スライドガイド９５は、スリット９２の開口部９２ａに挿入される支持部９６と、支持部９６の先端に設けられた当接部９７とからなる。当接部９７の両側端面は、被圧迫部９３のスリット９２の内面に当接可能になっている。
さらに、挿入部９１を挟むように、一対のローラ３２ａ，３２ｂが配設されている。各ローラ３２ａ，３２ｂの外周面は、スライドガイド９５の当接部９７と、略一直線上に並び、ローラ３２ａと当接部９７の一方の側端部との間で被圧迫部９３を挟み、ローラ３２ｂと当接部９７の他方の側端部との間で被圧迫部９３を挟むようになっている。
【００４２】
処置具９０を挿抜する際には、一対のローラ３２ａ，３２ｂを回転させる。各ローラ３２ａ，３２ｂ及び当接部９７で挟まれる被圧迫部９３には、圧迫力が作用し、処置具挿通チャンネル２１に沿って駆動させられる。
この処置具９０では、圧迫力を受ける領域が限定され、そこから離れた位置であって、駆動力伝達手段９９の駆動力伝達部材である一対のローラ３２ａ，３２ｂ及びスライドガイド９５に挟持されない部分にルーメン９４を設けたので、ルーメン９４の断面形状が変形せず、流路面積が確保される。また、一対のローラ３２ａ，３２ｂと、スリット９２内に挿入されたスライドガイド９５とで被圧迫部９３を挟持するので、挿入部９１の変形が防止され、負荷が低減される。
【００４３】
なお、本発明は、前記の各実施形態に限定されずに、広く応用することができる。
例えば、ローラ３２ａ，３２ｂは、内視鏡２０の操作部２２内に設けられていなくても良く、処置具（例えば、図１に示す処置具１）が駆動力伝達手段３１を備えても良い。また、駆動力伝達手段３１の駆動力伝達部材は、ローラ３２ａ，３２ｂに限定されず、ソレノイドで往復移動するプッシャでも良い。
各ローラ３２ａ，３２ｂは、内視鏡２０の操作部２２に着脱自在に構成されても良い。さらに、各ローラ３２ａ，３２ｂの外周面に粘着面を設けても良い。各ローラ３２ａ，３２ｂと処置具の挿入部（例えば、図１に示す処置具１の挿入部３）との滑りを防止することで、処置具の挿抜をさらに効率良く行うことができる。
また、図１７に示すスライドガイド９５は、一対のローラ３２ａ，３２ｂが配設されている領域のみに設ければ十分であるが、処置具挿通チャンネル２１（図３参照）の略全長に亘って設けても良い。
【図面の簡単な説明】
【００４４】
【図１】本発明の実施形態における内視鏡用処置具の構成を示す図である。
【図２】図１のＩＩ‐ＩＩ線に沿った断面図である。
【図３】内視鏡用処置具を内視鏡の処置具挿通チャンネルに挿入した状態を示す図である。
【図４】内視鏡用処置具の挿入部と一対のローラとの接触状態を示す断面図である。
【図５】駆動力伝達手段の構成の一例を示す断面図である。
【図６】挿入部の断面構造を示す図であって、一対のローラに挟持された状態を示す図である。
【図７】挿入部の断面構造を示す図であって、一対のローラに挟持された状態を示す図である。
【図８】挿入部の断面構造を示す図であって、一対のローラに挟持された状態を示す図である。
【図９】挿入部の断面構造を示す図である。
【図１０】挿入部の断面構造を示す図である。
【図１１】挿入部の断面構造を示す図であって、一対のローラに挟持された状態を示す図である。
【図１２】挿入部の断面構造を示す図である。
【図１３】挿入部の側面図である。
【図１４】図１３のＸＩＶ‐ＸＩＶ線に沿った断面図である。
【図１５】挿入部の側面図である。
【図１６】挿入部の断面構造を示す図であって、一対のローラに挟持された状態を示す図である。
【図１７】挿入部の断面構造を示す図であって、一対のローラに挟持された状態を示す図である。
【符号の説明】
【００４５】
１，４０，４５，５０，６０，６５，７０，８０，９０    処置具（内視鏡用処置具）
３，４１，４６，５１，６１，６６，７１，７６，８１，９１    挿入部
８    チューブ
９    スタイレット（被圧迫部）
１１，４７，５４，６３，６８，７４，８２，１０５，１１２    ルーメン
２０    内視鏡
２１    処置具挿通チャンネル（チャンネル）
３１，８３，９９    駆動力伝達手段
３２ａ，３２ｂ    ローラ（駆動力伝達部材）
４８，５３，６２，６７，８５，９３，１０３，１０９    被圧迫部
７３    被圧迫部（螺旋状のリブ）
７７    被圧迫部（環状のリブ）
９２    スリット
Ｄａ    チューブの内径
Ｄｂ    チューブの外径
Ｄｃ    スタイレットの外径
Ｃ１    挿入部の中心
Ｃ２    ルーメンの中心
【図１】
2005304525.tif 000003
【図２】
2005304525.tif 000004
【図３】
2005304525.tif 000005
【図４】
2005304525.tif 000006
【図５】
2005304525.tif 000007
【図６】
2005304525.tif 000008
【図７】
2005304525.tif 000009
【図８】
2005304525.tif 000010
【図９】
2005304525.tif 000011
【図１０】
2005304525.tif 000012
【図１１】
2005304525.tif 000013
【図１２】
2005304525.tif 000014
【図１３】
2005304525.tif 000015
【図１４】
2005304525.tif 000016
【図１５】
2005304525.tif 000017
【図１６】
2005304525.tif 000018
【図１７】
2005304525.tif 000019